(57)【要約】【課題】ロック解除を困難とすることなく、仮係止状態における蓋体とプロテクタ本体との隙間を十分に確保することができる、新規な構造の電線収容プロテクタを提供すること。【解決手段】係合枠体２２の下端部の少なくとも一部が係合孔２４の内方に向かって突出すると共に係合孔２４の外方に撓み変形可能な弾性干渉部３０によって構成されており、弾性干渉部３０が係合片３２の突出端部４０と干渉することで、蓋体１６がプロテクタ本体１２に対して仮係止状態に保持されるようにした。【選択図】図３
2017073940.tif 000002
【特許請求の範囲】
【請求項１】
樋状に延びるプロテクタ本体と、該プロテクタ本体の上方開口部を覆蓋する蓋体と、前記プロテクタ本体と前記蓋体を固定的に保持するロック機構を備え、
前記ロック機構が、前記蓋体に突設されて外面に係合突起が設けられた係合片と、前記プロテクタ本体の側壁に設けられて前記側壁との間に前記係合片が挿通される係合孔を画成する係合枠体とを含み、前記係合枠体の下端部に前記係合突起が係合されることで前記プロテクタ本体に前記蓋体が保持される電線収容プロテクタにおいて、
前記係合枠体の前記下端部の少なくとも一部が前記係合孔の内方に向かって突出すると共に前記係合孔の外方に撓み変形可能な弾性干渉部によって構成されており、
前記弾性干渉部が前記係合片の突出端部と干渉することで、前記蓋体が前記プロテクタ本体に対して仮係止状態に保持されるようになっている
ことを特徴とする電線収容プロテクタ。
【請求項２】
前記係合枠体が、前記プロテクタ本体に隙間を隔てて対向配置された外壁部を含んでおり、前記外壁部の下端部が前記弾性干渉部によって構成されている一方、前記係合片の前記突出端部における板厚寸法が前記プロテクタ本体の前記側壁と前記弾性干渉部との間の最小隙間寸法よりも大きくされている請求項１に記載の電線収容プロテクタ。
【請求項３】
前記係合片の前記突出端部の前記板厚寸法が、前記係合孔の上方開口寸法よりも小さくされている請求項２に記載の電線収容プロテクタ。
【請求項４】
前記係合片の前記突出端部が前記弾性干渉部に当接された前記仮係止状態において、前記係合突起が前記係合孔の上方開口部よりも上方に設けられている請求項１〜３の何れか１項に記載の電線収容プロテクタ。
【発明の詳細な説明】
【技術分野】
【０００１】
本発明は、自動車等に配索される多数の電線を挿通保持する電線収容プロテクタに関するものである。
【背景技術】
【０００２】
従来から、自動車等の電装系においては、配索される多数の電線を、電線収容プロテクタに挿通保持して適所に固定することにより、電線を外部の干渉部材から保護したり、電線の経路を規制することが行われている。
【０００３】
ところで、このような電線収容プロテクタは、特開平６−８６４２６号公報（特許文献１）等に記載されているとおり、樋状のプロテクタ本体と、プロテクタ本体の上方開口部を覆蓋する蓋体とを含んで構成されている。そして、図３（ａ）に示されているように、多数の電線をプロテクタ本体に挿通した後、蓋体に設けられた係合片の先端部をプロテクタ本体に設けられた係止枠の係止孔内に挿入し、係合片に突設された係合突起の下端部を係止枠の上方開口部に当接させた状態とすることにより、蓋体とプロテクタ本体との間に隙間：Ｓを画成した仮係止状態とする。かかる仮係止状態で、隙間：Ｓを通して電線の噛み込みが生じていないかどうかの確認を行い、電線の噛み込みが生じている場合には蓋体を外して電線の噛み込みが生じないように手直しを行う。そして、仮係止状態で問題が発見されないようになった状態で、図３（ｂ）に示されているように、係合片の係合突起を係止枠の係止孔内に強く押し込むことにより、係合片の係合突起を係止枠の下面に係止させて本係止状態とすることが行われていた。これにより、電線収容プロテクタを、電線の噛み込みを発生しないように容易に装着することができる。
【０００４】
ところが、このような従来構造のロック機構では、図３（ａ）に示す仮係止状態から図３（ｂ）に示す本係止状態に至る上下方向の移動距離を十分に確保することが難しいという問題を内在していた。すなわち、仮係止状態において電線の噛み込みが生じているか否かの確認を行うための蓋体とプロテクタ本体との間に隙間：Ｓを十分に大きく確保することが困難であったのである。例えば、かかる隙間：Ｓを十分に大きく確保するために、係合片の係合突起を上下方向に延ばすことが考えられるが、その場合には係合突起が上下方向に長く延びてしまうことから、ロックを解除することが困難となるおそれがあった。それゆえ、ロック解除が困難となることなく仮係止状態における蓋体とプロテクタ本体との間の隙間：Ｓを十分に確保できるロック機構が求められていたのである。
【先行技術文献】
【特許文献】
【０００５】
【特許文献１】特開平６−８６４２６号公報
【発明の概要】
【発明が解決しようとする課題】
【０００６】
本発明は、上述の事情を背景に為されたものであって、その解決課題は、ロック解除を困難とすることなく、仮係止状態における蓋体とプロテクタ本体との隙間を十分に確保することができる、新規な構造の電線収容プロテクタを提供することにある。
【課題を解決するための手段】
【０００７】
本発明の第一の態様は、樋状に延びるプロテクタ本体と、該プロテクタ本体の上方開口部を覆蓋する蓋体と、前記プロテクタ本体と前記蓋体を固定的に保持するロック機構を備え、前記ロック機構が、前記蓋体に突設されて外面に係合突起が設けられた係合片と、前記プロテクタ本体の側壁に設けられて前記側壁との間に前記係合片が挿通される係合孔を画成する係合枠体とを含み、前記係合枠体の下端部に前記係合突起が係合されることで前記プロテクタ本体に前記蓋体が保持される電線収容プロテクタにおいて、前記係合枠体の前記下端部の少なくとも一部が前記係合孔の内方に向かって突出すると共に前記係合孔の外方に撓み変形可能な弾性干渉部によって構成されており、前記弾性干渉部が前記係合片の突出端部と干渉することで、前記蓋体が前記プロテクタ本体に対して仮係止状態に保持されるようになっていることを特徴とする。
【０００８】
本態様によれば、係合枠体の下端部の少なくとも一部が、係合孔の外方に撓み変形可能な弾性干渉部によって構成されており、かかる弾性干渉部が係合片の突出端部と干渉することで、蓋体がプロテクタ本体に対して仮係止状態に保持されるようになっている。要するに、係合片の突出端部が係合孔に挿入されるとすぐに、係合片の突出端部が係合枠体の下端部を構成する弾性干渉部に干渉して、係合片の係合孔への挿入が阻害される。その結果、蓋体をプロテクタ本体に対して仮係止状態に保持することができる。
【０００９】
そして、かかる仮係止状態は、従来のように係合片の中央部分に設けられた係合突起によって実現されるものではないことから、係止片の係止孔への挿入方向において、仮係止状態における蓋体とプロテクタ本体との間の隙間：Ｓを十分大きく確保することが可能となる。好ましくは、係合突起を係合片の突出端部から基端部側に向かって大きく離隔するように設けることにより、仮係止状態における蓋体とプロテクタ本体との間の隙間：Ｓをより大きく確保することが可能となる。
【００１０】
なお、弾性干渉部は、係合枠体の下端部の何れに設けてもよく、プロテクタ本体に隙間を隔てて対向配置され平行に広がる外壁部に設けてもよいし、それに代えて又は加えて外壁部の両端部をプロテクタ本体の側壁に連結する連結壁部に設けてもよい。
【００１１】
本発明の第二の態様は、前記第一の態様に記載のものにおいて、前記係合枠体が、前記プロテクタ本体に隙間を隔てて対向配置された外壁部を含んでおり、前記外壁部の下端部が前記弾性干渉部によって構成されている一方、前記係合片の前記突出端部における板厚寸法が前記プロテクタ本体の前記側壁と前記弾性干渉部との間の最小隙間寸法よりも大きくされているものである。
【００１２】
本態様によれば、係合枠体における外壁部に弾性干渉部を設けていることから、比較的広い領域に弾性干渉部を設けることができ、弾性干渉部の耐久性を有利に確保することができる。また、係合片の突出端部の板厚寸法と、側壁と弾性干渉部間の隙間寸法を調節することで、仮係止状態を確保することができることから、係合片の突出端部を係合孔の上方開口部から挿入する挿入力の設計自由度を大きく確保することができる。
【００１３】
本発明の第三の態様は、前記第二の態様に記載のものにおいて、前記係合片の前記突出端部の前記板厚寸法が、前記係合孔の上方開口寸法よりも小さくされているものである。
【００１４】
本態様によれば、係合片の突出端部における板厚寸法が、係合孔の上方開口寸法よりも小さくされていることにより、本係止状態において、係合片と係合孔の上方開口部の間に隙間を形成することができる。それゆえ、本係止後であっても、かかる隙間からマイナスドライバーなどを挿入することができることから、かかるロックを容易に解除することができる。しかも、係合孔の上方開口寸法が下方開口寸法よりも大きく形成されていることから、係合片の突出端部を係合孔の上方開口部から容易に挿入することが可能となっている。
【００１５】
本発明の第四の態様は、前記第一乃至第三の何れか一つの態様に記載のものにおいて、前記係合片の前記突出端部が前記弾性干渉部に当接された前記仮係止状態において、前記係合突起が前記係合孔の上方開口部よりも上方に設けられているものである。
【００１６】
本態様によれば、係合片の突出端部が弾性干渉部に当接された仮係止状態において、係合突起が係合孔の上方開口部よりも上方に設けられている。これにより、係合突起が係合孔の上方開口部に仮係止された従来構造に比して、係合片の係合孔への挿入方向における仮係止状態における蓋体とプロテクタ本体との間の隙間：Ｓを大きく確保することが可能となる。
【発明の効果】
【００１７】
本発明によれば、係合枠体の下端部の少なくとも一部が、係合孔の外方に撓み変形可能な弾性干渉部によって構成されており、かかる弾性干渉部が係合片の突出端部と干渉することで、蓋体がプロテクタ本体に対して仮係止状態に保持されるようになっている。すなわち、係合片の突出端部が係合枠体の下端部を構成する弾性干渉部に干渉して係合片の係合孔への挿入が阻害されることから、蓋体をプロテクタ本体に対して仮係止状態に保持できる。かかる仮係止状態は、従来の如き係合片の中央部分に設けられた係合突起によるものではないことから、仮係止状態における蓋体とプロテクタ本体との間の隙間：Ｓを十分大きく確保できる。
【図面の簡単な説明】
【００１８】
【図１】本発明の一実施形態としての電線収容プロテクタの仮係止状態を示す斜視図。
【図２】図１に示す電線収容プロテクタの側面図。
【図３】図１のＩＩＩ−ＩＩＩ断面拡大図。
【図４】本実施形態の電線収容プロテクタの本係止状態を示す斜視図。
【図５】図４のＶ−Ｖ断面拡大図。
【発明を実施するための形態】
【００１９】
以下、本発明の実施形態について、図面を参照しつつ説明する。
【００２０】
先ず、図１〜５には、本発明の一実施形態としての電線収容プロテクタ１０が、示されている。この電線収容プロテクタ１０は、樋状に延びるプロテクタ本体１２と、プロテクタ本体１２の上方開口部１４を覆蓋する蓋体１６を備えて構成されている。かかる電線収容プロテクタ１０は、プロテクタ本体１２内に図示しないワイヤーハーネスを挿通状態で収容して用いられる。以下の説明において、上方とは、図２中の上方、下方とは、図２中の下方、また前方とは、図２中の左方、後方とは、図２中の右方を言うものとする。
【００２１】
図１に示されているように、プロテクタ本体１２は、底壁１８と底壁１８の両側から立ち上がる一対の側壁２０，２０、を含んで樋状に延びる構成とされており、例えばポリプロピレン（ＰＰ）、ポリアミド（ＰＡ）等の合成樹脂により射出成形等によって一体形成されている。また、プロテクタ本体１２の側壁２０の外面の上方には、外方に向かって突出する平面視で略角括弧形状の係合枠体２２が設けられており、かかる係合枠体２２と側壁２０の外面との間には後述する蓋体１６の係合片３２が挿通される係合孔２４が上下方向に貫通した状態で画成されている。より詳細には、係合枠体２２は、プロテクタ本体１２の側壁２０に隙間を隔てて対向配置された側面視で略矩形状の外壁部２６と、かかる外壁部２６の両端部をプロテクタ本体１２の側壁２０に連結する正面視で略矩形状の連結壁部２８を含んで構成されている。そして、外壁部２６の下端部が、外壁部２６の上端部から係合孔２４の内方に向かって片持ち梁状に突出された弾性干渉部３０によって形成されており、かかる弾性干渉部３０は係合孔２４の外方に撓み変形可能なようになっている。なお、本実施形態では、係合枠体２２は、一対の側壁２０，２０に対してそれぞれ２個ずつ設けられているが、長手方向に離隔して、必要に応じてそれぞれ任意の数を設けてもよい。
【００２２】
一方、蓋体１６は、その外周縁部において、プロテクタ本体１２側に向かって突出する側面視で略矩形状の複数の係合片３２が板厚方向に撓み変形可能なように形成されている。また、係合片３２の突出方向における略中央部の外面には、板厚方向外方に向かって突出する正面視で略三角断面形状の係合突起３４が設けられている。なお、本実施形態では、係合片３２は、上述の係合枠体２２に対応して、４箇所に形成されている。また、蓋体１６はプロテクタ本体１２と同じく、例えばポリプロピレン（ＰＰ）、ポリアミド（ＰＡ）等の合成樹脂により射出成形等によって一体形成されている一方、プロテクタ本体１２とは別体成形とされている。
【００２３】
そして、プロテクタ本体１２の複数の係合枠体２２の係合孔２４に対してそれぞれ対応する蓋体１６の複数の係合片３２を挿入して、係合枠体２２の下端部に係合片３２の係合突起３４を係合させることにより、図４〜５に示されているように、プロテクタ本体１２に対して蓋体１６が固定的に保持されるようになっている。このように、本実施形態では、係合枠体２２と係合片３２により、ロック機構が構成されているのである。
【００２４】
次に、図３および図５を用いて、ロック機構の詳細について説明する。先ず、図３に示されているように、蓋体１６の係合片３２の突出端部４０を係合枠体２２の係合孔２４に挿入する。ここで、係合片３２の突出端部４０の板厚寸法：Ｌ１は、係合孔２４の上方開口部４２の上方開口寸法：Ｌ２よりも小さくなるように形成されている。これにより、係合片３２の突出端部４０を係合孔２４の上方開口部４２から容易に挿入することが可能となっている。また、係合片３２の突出端部４０における板厚寸法：Ｌ１は、プロテクタ本体１２の側壁２０と係合枠体２２の弾性干渉部３０との間の最小隙間寸法：Ｌ３よりも大きくなるように形成されている。これにより、係合孔２４に挿入された係合片３２の突出端部４０が係合枠体２２の下端部を構成する弾性干渉部３０に干渉して、係合片３２の係合孔２４へのさらなる挿入が阻止されるようになっている。その結果として、蓋体１６をプロテクタ本体１２に対して仮係止状態に保持することができるようになっているのである。
【００２５】
加えて、図３に示されているように、係合片３２の突出端部４０が弾性干渉部３０に当接された仮係止状態において、係合片３２の係合突起３４が係合孔２４の上方開口部４２よりも上方にくるように形成されている。それゆえ、従来の如き係合片の係合突起が係合孔の上方開口部に仮係止された場合に比して、仮係止状態における蓋体１６とプロテクタ本体１２との間の隙間寸法：Ｓを大きく確保することが可能となっている。要するに、かかる仮係止状態が従来のように係合片の中央部分に設けられた係合突起によるものではないことから、仮係止状態における蓋体１６とプロテクタ本体１２との間の隙間：Ｓを十分大きく確保することが可能となる。したがって、係合片３２の係合突起３４を係合片３２の突出端部４０から基端部側に向かって大きく離隔するように設けることにより、仮係止状態における蓋体１６とプロテクタ本体１２との間の隙間：Ｓをより大きく確保することが可能となっているのである。
【００２６】
続いて、かかる仮係止状態から、蓋体１６の係合片３２の突出端部４０をプロテクタ本体１２方向にさらに押し込むことにより、係合枠体２２の下端部を構成する弾性干渉部３０が係合孔２４の外方に撓み変形されて、プロテクタ本体１２の側壁２０と係合枠体２２の弾性干渉部３０との間の最小隙間寸法：Ｌ３が押し広げられる。これにより、係合片３２のプロテクタ本体１２方向へのさらなる押し込みが許容されて、係合片３２の略中央部部に形成された係合突起３４が係合枠体２２の下端部を構成する弾性干渉部３０を越えるまで押し込まれると、図５に示されているように、弾性干渉部３０が弾性復帰して係合突起３４が係合枠体２２の下端部に当接する本係止状態となる。これにより、係合片３２の係合突起３４が係合枠体２２の下端部を構成する弾性干渉部３０と係合され、蓋体１６がプロテクタ本体１２に対して固定的に保持されるようになるのである。
【００２７】
このような構造とされた本実施形態の電線収容プロテクタ１０によれば、弾性干渉部３０が係合枠体２２の外壁部２６に設けられていることから、比較的広い領域に弾性干渉部３０を設けることができるので、弾性干渉部３０の耐久性を有利に確保することができる。また、係合片３２の突出端部４０の板厚寸法：Ｌ１を、側壁２０と弾性干渉部３０間の隙間寸法：Ｌ３よりも大きくするだけで、仮係止状態を確保することができることから、係合片３２の係合孔２４に対する挿入力の設計自由度を大きく確保することができる。
【００２８】
加えて、係合片３２の突出端部４０の板厚寸法：Ｌ１が係合孔２４の上方開口寸法：Ｌ２よりも小さくされていることから、本係止状態において、係合孔２４の上方開口部４２と係合片３２の間に隙間４４を設けることができる（図５参照）。それゆえ、本係止後であっても、かかる隙間４４からマイナスドライバーなどを挿入することができることから、かかるロック機構を容易に解除することができる。
【００２９】
以上、本発明の複数の実施形態について詳述したが、本発明はこれらの具体的な記載によって限定されない。例えば、上記実施形態では、弾性干渉部３０は、係合枠体２２の外壁部２６の略全体に亘って設けられていたが、係合枠体２２の外壁部２６と連結壁部２８の略全体に亘って設けられていてもよいし、それらの一部のみに設けられていてもよい。
【符号の説明】
【００３０】
１０：電線収容プロテクタ、１２：プロテクタ本体、１４：上方開口部、１６：蓋体、２０：側壁、２２：係合枠体（ロック機構）、２４：係合孔、２６：外壁部、３０：弾性干渉部、３２：係合片（ロック機構）、３４：係合突起、４０：突出端部、４２：上方開口部
【図１】
2017073940.tif 000003
【図２】
2017073940.tif 000004
【図３】
2017073940.tif 000005
【図４】
2017073940.tif 000006
【図５】
2017073940.tif 000007